(57)【特許請求の範囲】
【請求項１】
工場で生産された複数の建物ユニットが建築現場で少なくとも上下方向に積重されて建てられるとともに、内部に略水平な横管と、この横管の一端に下端が接続された鉛直な竪管とが配管されているユニット式建物の配管構造であって、
前記横管が前記複数の建物ユニットのうちの下階側の建物ユニットの天井裏空間に配管され、前記竪管が前記下階側の建物ユニットの直上に配置される上階側の建物ユニットの床下空間に配管され、
少なくとも前記上階側の建物ユニットは、平行な二本の床梁間に架け渡された複数の根太を含んで構成され、
前記根太の上下寸法が前記床梁の上下寸法と同じとされ、
前記複数の建物ユニットのうちの前記横管が配管される下階側の建物ユニットと隣接した別の下階側の建物ユニットには、前記床梁と同じ断面寸法を有する平行な二本の天井梁が設けられ、これらの天井梁間には前記根太と同じ外形形状を有する天井小梁が架け渡され、
この天井小梁の上面には床面材が張られ、下面には天井面材が張られ、
前記天井梁が設けられた建物ユニットの直上には、床梁が無くかつ底の部分が開口とされた無底建物ユニットが積重されている
ことを特徴とするユニット式建物の配管構造。
【発明の詳細な説明】
【０００１】
【発明の属する技術分野】
本発明は、ユニット式建物の配管構造に係り、例えば、便器に接続される汚水管や、流し台、浴槽に接続される排水管に利用できる。
【０００２】
【背景技術】
図５には、ユニット式建物おける汚水管７０の従来の配管構造が示されている。
ユニット式建物を構成する上階建物ユニット８０は、四隅に立設された四本の柱８１（二本のみを図示）の下端間に架け渡された四本の床梁８２（三本のみを図示）と、二本の床梁８２（一本のみを図示）間に架け渡された複数の根太８３とを備えている。これら根太８３の上面には各床梁８２の上面にまで延びた床面材８４が張られ、これにより上階建物ユニット８０の床８６が形成されている。そして、床面材８４上には便器８５が設置されている。
【０００３】
一方、下階建物ユニット９０は、柱９１の上端間に架け渡された天井梁９２と、天井梁９２間に架け渡された複数の天井小梁９３とを備えている。これら天井小梁９３の下面には各天井梁９２にまで延びた天井面材９４が張られ、これにより下階建物ユニット９０の天井９６が形成されている。
【０００４】
また、上階建物ユニット８０の床下空間８６Ａには、上端が便器８５に接続された竪管７１が配管され、この竪管７１の下端にはエルボ７２を介して横管７３の一端が接続され、さらに、この横管７３の他端にはエルボ７２を介して別の竪管７４が接続されている。そして、これら竪管７１，７４、エルボ７２、横管７３により汚水管７０が形成されている。この際、下階建物ユニット９０にはパイプシャフト９５が設けられており、このパイプシャフト９５が床下空間８６Ａおよび天井裏空間９６Ａと連通しているとともに、竪管７４がパイプシャフト９５および天井裏空間９６Ａにわたって配管されている。
【０００５】
さらに、上階建物ユニット８０では、根太８３のうちの根太８３Ａが他の建物ユニットでも用いられる通常の大きさとされた木製になっているが、床下空間８６Ａに横管７３が配管されることから、根太８３Ｂは上下寸法が小さくとも床強度を満足させることのできる金属製のチャンネル材になっている。そして、横管７３を確実に支持するために、木製の根太８３Ｃには横管７３が挿通される挿通孔８７が設けられている。
また、下階建物ユニット９０の天井小梁９３は、天井面材９４を支持するだけの強度有していればよいので、その上下寸法等は根太８３Ａに比して小さくなっている。
【０００６】
このような配管構造のでは、工場で上階建物ユニット８０を生産する際に、便器８５を設置するとともに、竪管７１、エルボ７２、横管７３を床下空間８６Ａに配管しておく。また、下階建物ユニット９０を生産する際に、竪管７４をパイプシャフト９５、天井裏空間９６Ａに配管しておく。次いで、建築現場で上、下階建物ユニット８０，９０を上下に積重した際、竪管７４とエルボ７２とを接続することにより汚水管７０を完成させる。
【０００７】
【発明が解決しようとする課題】
しかしながら、工場で上建物ユニット８０を生産する際、横管７３を床下空間８６Ａへ配管する作業は上向き姿勢で行わなければならず、その作業に手間がかかるという問題があった。
【０００８】
本発明の目的は、工場での配管作業を容易に行うことができるユニット式建物の配管構造を提供することにある。
【０００９】
【課題を解決するための手段】
本発明のユニット式建物の配管構造は、図面を参照して説明すると、工場で生産された複数の建物ユニット１２，１３が建築現場で少なくとも上下方向に積重されて建てられるとともに、内部に略水平な横管７３と、この横管７３の一端に下端が接続された鉛直な竪管４１とが配管されているユニット式建物１０の配管構造であって、横管７３を複数の建物ユニット１２，１３のうちの下階側の建物ユニット１２Ａの天井裏空間１９Ａに配管し、竪管４１をその下階側の建物ユニット１２Ａの直上に配置される上階側の建物ユニット１３Ａの床下空間２２Ａに配管し、少なくとも上階側の建物ユニット１３Ａを、平行な二本の床梁５３間に架け渡された複数の根太５４を含んで構成し、各根太５４の上下寸法を床梁５３の上下寸法と同じにし、複数の建物ユニット１２，１３のうちの横管７３が配管される下階側の建物ユニット１２Ａと隣接した別の下階側の建物ユニット１２Ｂに、床梁５３と同じ断面寸法を有する平行な二本の天井梁５２を設け、これらの天井梁５２間に根太５４と同じ外形形状を有する天井小梁５６を架け渡し、この天井小梁５６の上面に床面材８４を張り、下面には天井面材９４を張り、その天井梁５２が設けられた建物ユニット１２Ｂの直上に、床梁が無くかつ底の部分が開口とされた無底建物ユニット１３Ｂを積重することを特徴とするものである。
このような本発明においては、横管７３を下階側の建物ユニット１２Ａの天井裏空間１９Ａに配管することにより、工場での横管７３の配管作業を通常の作業姿勢で容易に行えるようになる。
また、横管７３が上階側の建物ユニット１３Ａの床下空間２２Ａに配管されていないことにより、それら複数の根太５４を外形寸法等、全て同じものに統一可能となり、部材の種類が低減される。特に、他の建物ユニット１２Ａにも根太が設けられている際には、それらの根太を全て同じものにすることにより、部材の種類の低減が一層促進される。
そして、根太５４の上下寸法が設計可能な範囲で最大となるから、根太５４の強度が増し、床２２にかかる垂直荷重に対して有効に抗することが可能になる。
さらに、建物ユニット１２Ｂにおいては、天井梁５２と床梁５３とで共通化され、また、根太５４と天井小梁５６とで共通化されるため、部材の種類がより一層低減される。
さらにまた、建物ユニット１２Ｂでは天井小梁５６の上面に床面材８４を張り、この建物ユニット１２Ｂの直上に無底建物ユニット１３Ｂを積重することにより、その床面材８４によって建物ユニット１３Ｂの床２２が形成されるようになるから、直上の建物ユニット１３Ｂには床２２から天井２０までの高さが高い内部空間１５が形成されるようになる。
【００１５】
【発明の実施の形態】
以下、本発明の一実施の形態を図面に基づいて説明する。ただし、従来と同じ構成部材には同一符号を付し、それらの説明を簡略化または省略する。
図１は、本実施の形態に係る配管構造が適用されたユニット式建物１０の縦断面図であり、このユニット式建物１０は、基礎１１上に配置された複数の一階建物ユニット１２と、これら一階建物ユニット１２の上部に積重された二階建物ユニット１３とを備えた二階建ての建物である。なお、二階建物ユニット１３の上部には、図示略の屋根が設けられるようになっている。
【００１６】
一、二階建物ユニット１２，１３の内部空間１４，１５と建物の外部とは一、二階建物ユニット１２，１３の各々の側面に設けられた外壁パネル１６で仕切られており、これら外壁パネル１６は、例えば、オートクレーブ養生された軽量気泡コンクリート（ＡＬＣ）製である。
【００１７】
各一、二階建物ユニット１２，１３の内部空間１４，１５には各々天井１９，２０および床２１，２２が設けられているとともに、一、二階建物ユニット１２，１３の天井裏は天井裏空間１９Ａ，２０Ａとなっており、二階建物ユニット１３のうちの二階建物ユニット１３Ａの床下は床下空間２２Ａとなっている。
【００１８】
一、二階建物ユニット１２，１３の各天井１９，２０には照明器具２３が設けられ、各内壁面にはそれら照明器具２３のスイッチ２３Ａおよびコンセント２４が設けられている。
各一階建物ユニット１２の天井裏空間１９Ａ、二階建物ユニット１３Ａの床下空間２２Ａ、および、二階建物ユニット１３Ｂの床２２に近い内壁には、スイッチ回路等が内蔵された電線ユニット２５が配置あるいは埋設されており、照明器具２３、スイッチ２３Ａ、コンセント２４と電線ユニット２５とは電線２６で結線されている。
【００１９】
また、これら電線ユニット２５のうちの二階建物ユニット１３Ａの電線ユニット２５には電線２７Ａの一端が結線され、二階建物ユニット１３Ｂの内壁に埋設された電線ユニット２５には電線２７Ｂの一端が結線され、これら電線２７Ａ，２７Ｂの他端同士が各二階建物ユニット１３Ａ，１３Ｂの境界近傍で接続されている。そして、この接続部分はキャップ部材２８で絶縁されているとともに、電線２７Ａ，２７Ｂで電線２７が形成されている。
【００２０】
さらに、その二階建物ユニット１３Ａの電線ユニット２５、および、各一階建物ユニット１２の電線ユニット２５には、電線２９の一端が結線され、この電線２９の他端が一階建物ユニット１２のうちの一階建物ユニット１２Ａ内に設けられた配電盤３０に結線されている。
この際、一、二階建物ユニット１２Ｂ，１３Ａの各電線ユニット２５と配電盤３０との間に配線された電線２９は、一端が配電盤３０に結線された電線２９Ａと、一端が電線ユニット２５に結線された電線２９Ｂとからなり、これら電線２９Ａ，２９Ｂの他端同士が一階建物ユニット１２Ａ，１２Ｂの境界近傍で接続され、各接続部分がキャップ部材２８で絶縁されている。
【００２１】
さて、二階建物ユニット１３Ａの床２２には便器８５が設置されており、この便器８５には汚水管４０の一端が接続され、この汚水管４０の他端が一階建物ユニット１２Ａのパイプシャフト９５を通って図示略の下水道管に接続されるようになっている。
【００２２】
この汚水管４０が配管された一、二階階建物ユニット１２Ａ，１３Ａは、図２に示すように、直方体状の骨組み５０を有しており、この骨組み５０は、四隅に立設された四本の柱５１と、これら四本の柱５１の上端間に架け渡された四本の天井梁５２と、下端間に架け渡された四本の床梁５３とを含んで構成され、長辺側の天井梁５２間には従来と同じ複数の天井小梁９３が架け渡され、長辺側の床梁５３間には複数の根太５４が架け渡されている。そして、根太５４の上面および天井小梁９３の下面には、床面材８４および天井面材９４が張られ、これにより、図１で示した床２１，２２および天井１９，２０が形成されるようになっている。
【００２３】
骨組み５０を構成する天井梁５２および床梁５３は、図３に示すように、同じ断面寸法のチャンネル材から製作されたものでるとともに、各根太５４は、全て同じ外形形状を有する木製のとされ、また、根太５４の上下寸法が床梁５３の上下寸法と同じになっている。
【００２４】
図３において、汚水管４０は、便器８５の下部に上端が接続された竪管４１と、この竪管４１の下端にエルボ７２を介して一端が接続された横管７３と、この横管７３の他端にエルボ７２を介して上端が接続された別の竪管４４とから構成されている。そして、竪管４１は二階建物ユニット１３Ａの床下空間２２Ａ に配管されているとともに、その下端が床梁５３の下面と略同じ高さレベルとされ、横管７３は一階建物ユニット１２Ａの天井裏空間１９Ａ内であって、天井小梁９３と上方の根太５４との間に配管され、竪管４４は天井裏空間１９Ａとパイプシャフト９５とにわたって配管されている。ここで、図中の符号５５は、パイプシャフト９５と一階建物ユニット１２Ａの内部空間１４とを仕切る間仕切り壁である。
【００２５】
ところで、この図において、一階建物ユニット１２Ｂは、天井小梁５６を除いて一、二階建物ユニット１２Ａ，１３Ａと同様な柱５１、天井梁５２を備えている。すなわち、一階建物ユニット１２Ｂの天井梁５２間に架け渡された天井小梁５６は、一、二階建物ユニット１２Ａ，１３Ａの根太５４と同じ外形寸法を有し、材質も同じ木製とされている。そして、これら天井小梁５６の下面には天井面材９４が張られ、また、上面には床面材８４が張られ、これにより、一階建物ユニット１２Ｂの天井１９および二階建物ユニット１３Ｂの床２２が形成されている。なお、ここでは図示を省略するが、以上の根太５４、天井小梁５６には適宜な位置に切欠部が設けられ、それらの切欠部を利用して前述の電線２７，２９が配線されるようになっている。
【００２６】
その二階建物ユニット１３Ｂは、図４にも示すように、骨組み６０を有しており、この骨組み６０は、四隅に立設された四本の柱６１と、これら四本の柱６１の上端間に架け渡された四本の天井梁６２とを含んで構成され、下端間には床梁が存在しない。また、長辺側の天井梁６２間には、一、二階建物ユニット１２Ａ，１３Ａと同様に、天井小梁９３が架け渡され、さらに、天井小梁９３の下面に天井面材９４が張られて二階建物ユニット１３Ｂの天井２０が形成されるようになっている。すなわち、この二階建物ユニット１３Ｂは、床となる底部分が無い無底建物ユニットになっており、一階建物ユニット１２Ｂとは柱５１，６１間でボルト締めを行うことにより連結されている。
【００２７】
このような本実施の形態においては、以下のようにして、ユニット式建物１０内における電線２６，２７，２９の配線作業および汚水管４０の配管作業を行う。
配線作業については、先ず、工場で各一、二階建物ユニット１２，１３毎に電線２６，２７，２９を配線しておくが、この際、一階建物ユニット１２Ａの配電盤３０に各電線２９Ａの一端を結線しておき、一、二階建物ユニット１２Ｂ，１３Ａの電線ユニット２５に各電線２９Ｂの一端を結線しておき、同様に、二階建物ユニット１３Ａの電線ユニット２５に電線２７Ａの一端を、二階建物ユニット１３Ｂの電線ユニット２５に電線２７Ｂの一端を、各々結線しておく。そして、各電線２７Ａ，２７Ｂの他端を各二階建物ユニット１３における床２２同士の境界近傍まで配線し、また、各電線２９Ａ，２９Ｂの他端を各一階建物ユニット１２における天井裏空間１９Ａの境界近傍まで配線する。
次いで、建築現場で一、二階建物ユニット１２，１３を組み合わせた後、電線２７Ａ，２７Ｂの他端同士および電線２９Ａ，２９Ｂの他端同士を各々接続し、最後に、それらの接続部分をキャップ部材２８で絶縁する。
【００２８】
一方、配管作業については、先ず、工場で竪管４４を一階建物ユニット１２Ａのパイプシャフト９５および天井裏空間１９Ａにわたって配管しておくとともに、この天井裏空間１９Ａに上方から横管７３を設置し、これら竪管４４と横管７３とをエルボ７２を介して接続し、横管７３の他端にもエルボ７２を取り付けておく。そして、竪管４１を二階建物ユニット１３Ａの床下空間２２Ａに配管し、この竪管４１の上端を便器８５の下部に接続しておく。
次いで、建築現場で一階建物ユニット１２Ａに二階建物ユニット１３Ａを積重した後、横管７３の端部に取り付けられたエルボ７２と竪管４１の下端とを接続する。
【００２９】
このような本実施の形態によれば以下のような効果がある。
すなわち、汚水管４０の横管７３が一階建物ユニット１２Ａの天井裏空間１９Ａに配管されているため、この横管７３の工場での配管作業は、横管７３を一階建物ユニット１２Ａの上方から配置した後に通常の姿勢で行われるようになり、その配管作業を容易かつ迅速に行うことができる。
【００３０】
また、横管７３が天井裏空間１９に配管されていることで、二階建物ユニット１３Ａの根太５４を同じ外形形状を有するものに統一でき、部材の種類を低減することができる。
【００３１】
そして、この根太５４が一階建物ユニット１２Ａにも使用されているため、この点からも、部材の種類を低減することができる。
【００３２】
さらに、この根太５４と一階建物ユニット１２Ｂの天井小梁５６とは、外形形状や材質が同じになっているため、これらの部材を共通化することにより、部材の種類をより一層低減することができる。
【００３３】
この際、天井小梁５６の上下寸法が天井梁５２の上下寸法とも同じになっているから、天井小梁５２の上面に床面材８４を張ることで、二階建物ユニット１３Ｂの内部空間１５を天井高さの高い空間にできる。
【００３４】
また、この二階建物ユニット１３Ｂが床梁の無い無底建物ユニットになっているため、その床２２を二階建物ユニット１３Ｂにおける床本来の広さを確実に確保することができる。
【００３５】
そして、根太５４、天井小梁５６の上下寸法が床梁５３、天井梁５２の上下寸法と同じであるから、それら根太５４、天井小梁５６の上下寸法は設計可能な範囲で最も大きくなっている。このため、根太５４、天井小梁５６の強度を大きくすることができ、二階建物ユニット１３の各床２２にかかる垂直荷重に対して有効に抗することができる。
【００３６】
さらに、電線２７Ａ，２７Ｂ，２９Ａ，２９Ｂの端部が全てユニット式建物１０の中央に集約されているため、これら電線２７Ａ，２７Ｂ，２９Ａ，２９Ｂの端部同士を接続するにあたっては、ユニット式建物１０内の一箇所で行うことができ、建築現場での配線作業を効率よく行うことができる。
【００３９】
そして、前記実施の形態では、汚水管４０の配管構造および配管方法について述べたが、本発明の配管構造および配管方法は、例えば、流し台や浴槽に接続される排水管にも適用することができる。
【００４０】
【発明の効果】
以上に述べたように本発明によれば、下階側の建物ユニットの天井裏空間に横管を配管したため、その配管作業を通常の姿勢で容易に行うことができるという効果がある。
【図面の簡単な説明】
【図１】本発明の一実施の形態に係る配管構造が適用されたユニット式建物を示す縦断面図である。
【図２】前記ユニット式建物を構成する建物ユニットの骨組みを示す斜視図である。
【図３】前記配管構造を拡大して示す縦断面図である。
【図４】前記ユニット式建物を構成する他の建物ユニットの骨組みを示す斜視図である。
【図５】従来の配管構造を示す縦断面図である。
【符号の説明】
１０  ユニット式建物
１２Ａ  下階側の建物ユニットである一階建物ユニット
１３Ａ  上階側の建物ユニットである二階建物ユニット
１３Ｂ  無底建物ユニットである二階建物ユニット
１９Ａ  天井裏空間
２２Ａ  床下空間
４１  竪管
５２  天井梁
５３  床梁
５４  根太
５６  天井小梁
７３  横管
【図１】
0003701726.tif 000002
【図２】
0003701726.tif 000003
【図３】
0003701726.tif 000004
【図４】
0003701726.tif 000005
【図５】
0003701726.tif 000006